(57)【要約】      （修正有）【課題】  デジタル−アナログ変換回路に相対的バラツキがあっても、出力信号レベルにバラツキがないようにすることを目的とする。【解決手段】  メモリ１６Ｒ，１６Ｇ，１６Ｂよりの誤差信号を第２デジタルーアナログ変換回路に供給すると共にこの第２のデジタルーアナログ変換回路のリファレンス端子に第１の基準電位Ｖ１を供給し、この第２のデジタルーアナログ変換回路の出力信号をこの第１のデジタルーアナログ変換回路１３Ｒ，１３Ｇ，１３Ｂのリファレンス端子に供給するようにすると共に前段信号処理デバイスに出荷検査信号を入力したときの出力信号レベルＶＲ，ＶＧ，ＶＢと出荷検査装置２０の第２の基準電位Ｖ２とを比較し、この出力信号レベルＶＲ，ＶＧ，ＶＢとこの第２の基準電位Ｖ２とが一致する誤差信号をこのメモリ１６Ｒ，１６Ｇ，１６Ｂに記憶するようにしたものである。【選択図】        図１
2006060506.tif 000002
【特許請求の範囲】
【請求項１】
デジタル信号処理回路の出力段に第１のデジタルーアナログ変換回路を有する前段信号処理デバイスにおいて、
メモリよりの誤差信号を第２デジタルーアナログ変換回路に供給すると共に前記第２のデジタルーアナログ変換回路のリファレンス端子に第１の基準電位を供給し、前記第２のデジタルーアナログ変換回路の出力信号を前記第１のデジタルーアナログ変換回路のリファレンス端子に供給するようにすると共に前段信号処理デバイスに出荷検査信号を入力したときの出力信号レベルと出荷検査装置の第２の基準電位とを比較し、前記出力信号レベルと前記第２の基準電位とが一致する誤差信号を前記メモリに記憶するようにしたことを特徴とする前段信号処理デバイス。
【発明の詳細な説明】
【技術分野】
【０００１】
本発明は、例えば映像表示装置において映像信号を取り扱うのに使用して好適な前段信号処理デバイスに関する。
【背景技術】
【０００２】
従来、映像を表示する映像表示装置として図４に示す如き構成が採られている。即ち図４において、１は被写体を撮像するＣＣＤ等を使用した固体撮像装置を示し、この固体撮像装置１の出力側に得られる映像信号の赤色信号Ｒ、緑色信号Ｇ及び青色信号Ｂを夫々アナログデジタル変換回路２Ｒ，２Ｇ及び２Ｂを介して種々の信号処理を行うデジタル信号処理回路３に供給する。
【０００３】
このデジタル信号処理回路３の出力側に得られるデジタルの赤色信号Ｒ、緑色信号Ｇ及び青色信号Ｂを夫々デジタル−アナログ変換回路４Ｒ，４Ｇ及び４Ｂを介して映像表示装置５の赤色信号、緑色信号及び青色信号入力端子５Ｒ，５Ｇ及び５Ｂに供給する。この場合、アナログ−デジタル変換回路２Ｒ，２Ｇ，２Ｂ、デジタル信号処理回路３、デジタル−アナログ変換回路４Ｒ，４Ｇ，４Ｂにより、映像表示装置５の前段信号処理デバイス６を構成する。
【０００４】
この映像表示装置５のセットにこの前段信号処理デバイス６を組み込む場合、赤色信号Ｒ、緑色信号Ｇ及び青色信号Ｂの振幅誤差を補正するために振幅調整等の工程が必要となる。
【０００５】
この映像表示装置５において赤色信号、緑色信号及び青色信号入力端子５Ｒ，５Ｇ及び５Ｂに供給される赤色信号Ｒ、緑色信号Ｇ及び青色信号Ｂの信号振幅があらかじめ決められているのであれば前段信号処理デバイス６は、図５に示す如く赤色信号Ｒ、緑色信号Ｇ及び青色信号Ｂの振幅を一律として出力することが望まれる。
【０００６】
特許文献１にイメージセンサの各光電素子毎に対応した感度ムラの補正をあらかじめメモリに記憶された補正値をＤ−Ａ変換器を介してＡＧＣ回路に供給するようにしたものが記載されている。
【特許文献１】特開昭５８−４７２２８号公報
【発明の開示】
【発明が解決しようとする課題】
【０００７】
ところで、従来の前段信号処理デバイス６の赤色信号Ｒ、緑色信号Ｇ及び青色信号Ｂの一系統は夫々図６に示す如く、デジタル信号処理回路３の出力信号をデジタル−アナログ変換回路４Ｒ（４Ｇ，４Ｂ）を介してアナログ信号として赤色信号入力端子５Ｒ（緑色信号入力端子５Ｇ、青色信号入力端子５Ｂ）に供給している。
【０００８】
斯るデジタル−アナログ変換回路４Ｒ，４Ｇ，４Ｂはリファレンス端子に供給される基準電位７により出力信号の振幅（レベル）が決まるが、このリファレンス端子に供給される基準電位７が一定であったとしても、このデジタル−アナログ変換回路４Ｒ，４Ｇ，４Ｂの出力信号レベルは前段信号処理デバイス６の内蔵するデジタル−アナログ変換回路４Ｒ，４Ｇ，４Ｂが相対的バラツキを持つので、出力信号の振幅（レベル）にバラツキが生じる不都合があった。
【０００９】
またこのデジタル−アナログ変換回路４Ｒ，４Ｇ及び４Ｂの夫々のリファレンス端子に供給する基準電位７にバラツキがあるとデジタル−アナログ変換回路４Ｒ，４Ｇ及び４Ｂの出力信号レベルは２乗のバラツキを持ってしまう不都合があった。
【００１０】
また特許文献１に記載の技術では、デジタル−アナログ変換回路の相対的バラツキ及び基準電位のバラツキによる出力信号レベルのバラツキをなくすことはできない。
【００１１】
本発明は、斯る点に鑑み、デジタル−アナログ変換回路に相対的バラツキがあっても基準電位にバラツキがあっても、出力信号レベルにバラツキがないようにすることを目的とする。
【課題を解決するための手段】
【００１２】
本発明前段信号処理デバイスは、デジタル信号処理回路の出力段に第１のデジタルーアナログ変換回路を有する前段信号処理デバイスにおいて、メモリよりの誤差信号を第２デジタルーアナログ変換回路に供給すると共にこの第２のデジタルーアナログ変換回路のリファレンス端子に第１の基準電位を供給し、この第２のデジタルーアナログ変換回路の出力信号をこの第１のデジタルーアナログ変換回路のリファレンス端子に供給するようにすると共に前段信号処理デバイスに出荷検査信号を入力したときの出力信号レベルと出荷検査装置の第２の基準電位とを比較し、この出力信号レベルとこの第２の基準電位とが一致する誤差信号をこのメモリに記憶するようにしたものである。
【発明の効果】
【００１３】
本発明によれば、前段信号処理デバイスに出荷検査信号を入力したときの出力信号レベルと出荷検査装置の第２の基準電位とを比較し、この出力信号レベルとこの第２の基準電位とが一致する誤差信号をメモリに記憶し、このメモリよりの誤差信号により基準電位を補正するので、デジタル−アナログ変換回路や基準電位に相対的バラツキがあっても一律な出力信号レベルを得ることができる。
【発明を実施するための最良の形態】
【００１４】
以下図１〜図３を参照して本発明前段信号処理デバイスを実施するための最良の形態の例につき説明する。
【００１５】
図３は本例による映像を表示する映像表示装置を示す。図３において、１０は被写体を撮像するＣＣＤ等を使用した固体撮像装置を示し、この固体撮像装置１０の出力側に得られる映像信号の赤色信号Ｒ、緑色信号Ｇ及び青色信号Ｂを夫々アナログ−デジタル変換回路１１Ｒ，１１Ｇ及び１１Ｂを介して種々の信号処理を行うデジタル信号処理回路１２に供給する。
【００１６】
このデジタル信号処理回路１２の出力側に得られるデジタルの赤色信号Ｒ、緑色信号Ｇ及び青色信号Ｂを夫々デジタル−アナログ変換回路１３Ｒ，１３Ｇ及び１３Ｂを介して得られるアナログの赤色信号Ｒ、緑色信号Ｇ及び青色信号ＢをＣＲＴ、液晶表示装置、プラズマディスプレイ等の映像表示装置１４の赤色信号、緑色信号及び青色信号入力端子１４Ｒ，１４Ｇ及び１４Ｂに供給する。
【００１７】
この場合、アナログ−デジタル変換回路１１Ｒ，１１Ｇ，１１Ｂ、デジタル信号処理回路１２、デジタル−アナログ変換回路１３Ｒ，１３Ｇ，１３Ｂにより映像表示装置１４の前段信号処理デバイス１５を構成する。図３において、１５Ｒ，１５Ｇ及び１５Ｂは夫々デジタル−アナログ変換回路１３Ｒ，１３Ｇ及び１３Ｂの出力信号が供給される出力端子である。
【００１８】
本例においては、このデジタル−アナログ変換回路１３Ｒ，１３Ｇ及び１３Ｂの出力信号レベルが決まるリファレンス端子に供給する基準電位を図１及び図２に示す如くして形成する。
【００１９】
この前段信号処理デバイス１５の赤色信号Ｒ、緑色信号Ｇ及び青色信号Ｂの一系統は夫々図１に示す如く、デジタル信号処理回路１２の出力信号をデジタル−アナログ変換回路１３Ｒ（１３Ｇ，１３Ｂ）を介してアナログ信号として、映像表示装置１４の赤色信号入力端子１４Ｒ（緑色信号入力端子１４Ｇ、青色信号入力端子１４Ｂ）に供給している。
【００２０】
本例においては、この前段信号処理デバイス１５の出力端子１５Ｒ（１５Ｇ，１５Ｂ）を図１に示す如く出荷時の検査工程で検査を行う出荷検査装置２０を構成するコンパレータ２１の比較端子２１ａに順次切換接続する如くする。このコンパレータ２１は比較端子２１ａに供給される前後信号処理デバイス１５の出力端子１５Ｒ，１５Ｇ，１５Ｂに得られる出力信号レベルＶＲ，ＶＧ，ＶＢとこのコンパレータ２１の基準信号入力端子に供給される基準電位Ｖ２とを比較し、このコンパレータ２１の出力端子２１ｂに、この誤差信号を得る如くする。
【００２１】
一方、図１、図３に示す如くこの前段信号処理デバイス１５のデジタル−アナログ変換回路１３Ｒ，１３Ｇ及び１３Ｂに対し、夫々ＲＯＭ等のメモリ１６Ｒ，１６Ｇ及び１６Ｂを設け、このメモリ１６Ｒ，１６Ｇ及び１６Ｂの夫々のデジタルの出力信号をデジタル−アナログ変換回路１７Ｒ，１７Ｇ及び１７Ｂに供給し、このデジタル−アナログ変換回路１７Ｒ，１７Ｇ及び１７Ｂの出力端子に得られるアナログの出力信号を夫々デジタル−アナログ変換回路１３Ｒ，１３Ｇ及び１３Ｂの夫々のリファレンス端子に供給する。
【００２２】
またデジタル−アナログ変換回路１７Ｒ，１７Ｇ及び１７Ｂの夫々のリファレンス端子に電池１８よりの基準電位Ｖ１を夫々供給する如くする。
【００２３】
また、本例においては、前段信号処理デバイス１５のデジタル信号処理回路１２の入力端子１２ａに所定の出荷検査信号を供給したときに出力端子１５Ｒ，１５Ｇ及び１５Ｂに基準電位Ｖ２と等しい一律の出力信号レベルＶＲ，ＶＧ及びＶＢを得る如くする。
【００２４】
この為、この前段信号処理デバイス１５のデジタル信号処理回路１２の入力端子１２ａに所定の出荷検査信号を供給し、このときの前段信号処理デバイス１５の出力端子１５Ｒ，１５Ｇ及び１５Ｂを順番に出荷検査装置２０のコンパレータ２１の比較端子２１ａに接続し、このときコンパレータ２１の出力端子２１ｂに得られる出力端子１５Ｒ，１５Ｇ及び１５Ｂに得られる出力信号レベルＶＲ，ＶＧ及びＶＢとコンパレータ２１の基準電位Ｖ２との誤差信号をデジタル信号でメモリ１６Ｒ，１６Ｇ及び１６Ｂに供給して記憶する。
【００２５】
このメモリ１６Ｒ，１６Ｇ及び１６Ｂに誤差信号を記憶する動作につき図２のフローチャートを用いて説明するに、先ず出力端子１５Ｒに得られる赤色信号Ｒの出力信号レベルＶＲとコンパレータ２１の基準電位Ｖ２とが一致しているかどうかを比較判断し（ステップＳ１）、一致していないときには出力信号レベルＶＲが基準電位Ｖ２より大きいかどうかを判断し（ステップＳ２）、出力信号レベルＶＲが大きいときにはメモリ１６Ｒに記憶されている誤差データに所定数のデータを加算する（ステップＳ３）。
【００２６】
このメモリ１６Ｒに記憶されている誤差データに所定数のデータを加算後ステップＳ１に戻り、この出力信号レベルＶＲと基準電位Ｖ２とが一致するまで上述を繰り返し一致したときは、そのときメモリ１６Ｒに記憶している誤差データをメモリ１６Ｒに記憶して終了する。
【００２７】
またステップＳ２において、出力信号レベルＶＲが基準電位Ｖ２より小さいときはメモリ１６Ｒに記憶されている誤差データより所定数のデータを減算する（ステップＳ５）。このメモリ１６Ｒに記憶されている誤差データより所定数のデータを減算後ステップＳ１に戻り、この出力信号レベルＶＲと基準電位Ｖ２とが一致するまで上述を繰り返し、一致したときは、そのときのメモリ１６Ｒに記憶されている誤差データを記憶して終了する。
【００２８】
またステップＳ１で出力信号レベルＶＲと基準電位Ｖ２とが一致したときにはそのときメモリ１６Ｒが記憶している誤差データを記憶して終了する。
【００２９】
また出力端子１５Ｇ及び１５Ｂに得られる緑色信号Ｇ及び青色信号Ｂの出力信号レベルＶＧ及びＶＢについても図２のフローチャートの動作を行いメモリ１６Ｇ及び１６Ｂに誤差データを記憶する。
【００３０】
本例においては、出荷後は図３に示す如く、前段信号処理デバイス１５のデジタル−アナログ変換回路１３Ｒ，１３Ｇ及び１３Ｂのリファレンス端子には夫々メモリ１６Ｒ，１６Ｇ及び１６Ｂに夫々記憶された誤差データをデジタル−アナログ変換回路１７Ｒ，１７Ｇ及び１７Ｂを介して得られるアナログ信号が供給され、デジタル−アナログ変換回路１３Ｒ，１３Ｇ及び１３Ｂ等が相対的にバラツキがあっても、電池１８よりの基準電位Ｖ１等にバラツキがあっても、入力端子１２ａに出荷検査信号が供給されたときは出力端子１５Ｒ，１５Ｇ及び１５Ｂに得られる出力信号レベルＶＲ，ＶＧ及びＶＢを基準電位Ｖ２と等しい一律とすることができ、映像表示装置１４に良好なカラー画像を得ることができる。
【００３１】
尚、本発明は上述例に限ることなく、本発明の要旨を逸脱することなくその他種々の構成が採り得ることは勿論である。
【図面の簡単な説明】
【００３２】
【図１】本発明前段信号処理デバイスを実施するための最良の形態の例の要部を示す構成図である。
【図２】本発明の説明に供するフローチャートである。
【図３】本発明前段信号処理デバイスを実施するための最良の形態の例を示す構成図である。
【図４】従来の前段信号処理デバイスの例を示す構成図である。
【図５】説明に供する線図である。
【図６】従来の前段信号処理デバイスの例の要部を示す構成図である。
【符号の説明】
【００３３】
１０‥‥固体撮像装置、１１Ｒ，１１Ｇ，１１Ｂ‥‥アナログ−デジタル変換回路、１２‥‥デジタル信号処理回路、１３Ｒ，１３Ｇ，１３Ｂ，１７Ｒ，１７Ｇ，１７Ｂ‥‥デジタル−アナログ変換回路、１４‥‥映像表示装置、１５‥‥前段信号処理デバイス、１６Ｒ，１６Ｇ，１６Ｂ‥‥メモリ、１８‥‥電池、２０‥‥出荷検査装置、２１‥‥コンパレータ、Ｖ１，Ｖ２‥‥基準電位
【図１】
2006060506.tif 000003
【図２】
2006060506.tif 000004
【図３】
2006060506.tif 000005
【図４】
2006060506.tif 000006
【図５】
2006060506.tif 000007
【図６】
2006060506.tif 000008